(57)【要約】【目的】  クリーニング部材が中間転写体に接離可能とされた像形成ユニットを画像形成装置本体から取り外した際に、クリーニング部材が中間転写体から離間して、クリーニング部材と中間転写体との隙間から回収ボックス内のトナーがこぼれる出すことを防止する。【構成】  スクレーパ８４、ブラシロール８６を支持したトナー回収ボックス８８が、揺動支軸８９によってサイドフレームに揺動可能に支持されている。また、サイドフレームにはレバー８５が回動可能に支持されている。このレバー８５は、捻りコイルバネによって矢印Ｂ方向に付勢されており、偏心カム９３から離れると、矢印Ｂ方向に回動して回動停止用リブ８５ｂを、トナー回収ボックス８８の側面に形成された回動停止用リブ８７に当接させる。これによって、トナー回収ボックス８８が矢印Ｃ方向に揺動不能となり、スクレーパ８４、ブラシロール８６が中間転写体６４に圧接された状態で維持される。【選択図】  図１３
2005300850.tif 000002
【特許請求の範囲】
【請求項１】
トナー像を担持し該トナー像が転写媒体に転写される像担持体と、
前記像担持体に当接して前記像担持体上の未転写残留トナーを除去するクリーニング部材と、
前記クリーニング部材を支持し、前記クリーニング部材によって前記像担持体上から除去された未転写残留トナーを回収する回収ボックスと、
前記回収ボックスを前記像担持体に対して接離させて前記クリーニング部材を前記像担持体に当接又は離間させる接離手段と、
非画像形成時に前記回収ボックスを前記像担持体から離れる方向へ移動不能とする停止手段と、
を有することを特徴とする画像形成装置。
【請求項２】
トナー像を担持し該トナー像が転写媒体に転写される像担持体と、
前記像担持体に当接して前記像担持体上の未転写残留トナーを除去するクリーニング部材と、
前記クリーニング部材を支持し、前記クリーニング部材によって前記像担持体上から除去された未転写残留トナーを回収する回収ボックスと、
前記回収ボックスを前記像担持体に対して接離させて前記クリーニング部材を前記像担持体に当接又は離間させると共に、非画像形成時に前記回収ボックスを前記像担持体から離れる方向へ移動不能とする接離・停止手段と、
を有することを特徴とする画像形成装置。
【請求項３】
前記像担持体と共に着脱される支持フレームを有し、
前記接離・停止手段の少なくとも一部、及び前記回収ボックスが、前記支持フレームに設けられたことを特徴とする請求項２に記載の画像形成装置。
【請求項４】
前記接離・停止手段が、
前記回収ボックスを揺動可能に支持する揺動支持手段と、
前記回収ボックスを前記像担持体側に付勢し、前記クリーニング部材を前記像担持体に圧接するボックス付勢手段と、
一方向に回動して前記回収ボックスを前記ボックス付勢手段の付勢力に抗して揺動させると共に、所定の回動位置で前記回収ボックスを前記像担持体から離れる方向へ揺動不能とする回動部材と、
前記回動部材を他方向に付勢する回動部材付勢手段と、
前記回動部材付勢手段の付勢力で他方向へ回動する前記回動部材を前記所定の回動位置で停止させる回動停止部材と、
画像形成装置本体に回転可能に支持され、前記回動部材を、前記回動部材付勢手段の付勢力に抗して前記所定の回動位置から一方向に回動させるカムと、
を有することを特徴とする請求項２に記載の画像形成装置。
【請求項５】
前記回動停止部材が前記回収ボックスに設けられ、前記回動停止部材が前記回動部材に当接することで、前記回収ボックスが前記像担持体から離れる方向へ揺動不能となることを特徴とする請求項４に記載の画像形成装置。
【請求項６】
前記像担持体と共に前記画像形成装置本体に着脱される支持フレームを有し、
前記カムは、前記支持フレームが前記画像形成装置本体に装着されるている間は、常時前記回動部材に当接して前記回動部材を前記所定の回動位置から一方向に回動させることを特徴とする請求項５に記載の画像形成装置。
【請求項７】
前記回動部材を、前記支持フレームの内側に配設したことを特徴とする請求項６に記載の画像形成装置。
【請求項８】
前記揺動支持手段を、前記回収ボックスの重心が前記揺動支持手段よりも前記回動部材側に位置するように配置したことを特徴とする請求項４乃至７の何れか１項に記載の画像形成装置。
【請求項９】
前記揺動支持手段と前記回動部材を前記支持フレームの一部を構成する一つの部材に配置したことを特徴とする請求項７に記載の画像形成装置。
【発明の詳細な説明】
【技術分野】
【０００１】
本発明は、像担持体上の未転写残留トナーを除去するクリーニング部材、及びこのクリーニング部材を支持し、クリーニング部材によって像担持体から除去された未転写残留トナーを回収する回収ボックスが、像担持体に対して接離可能とされた画像形成装置に関する。
【背景技術】
【０００２】
１個の感光体で中間転写ベルトにシアン、マゼンタ、イエロー、黒からなるフルカラーのトナー像を形成するフルカラーレーザープリンタでは、中間転写ベルトを４周回転させ、中間転写ベルトが１周する毎に中間転写ベルトに１色ずつトナー像を重ね合わせていく（例えば、特許文献１参照）。
【０００３】
この特許文献１では、クリーナユニットが、クリーニングブレードを中間転写ベルトに当接させて中間転写ベルト上の未転写残留トナーを回収ボックスへ掻き落すことで、中間転写上の未転写残留トナーのクリーニングを行っている。また、このクリーナユニットは、感光体から中間転写ベルトに一次転写されてから中間転写ベルトから用紙へ二次転写されるまでのトナー像をクリーニング部材で掻き落してしまわないように、中間転写ベルトに対して接離可能となっている。
【０００４】
ここで、クリーナユニットは、中間転写ベルトを支持した中間転写ユニットに揺動可能に支持されているので、中間転写ユニットをプリンタ本体から外している際に、クリーナユニットが揺動して中間転写ベルトから離れてクリーナユニットと中間転写ベルトとの間に隙間ができ、この隙間から回収ボックス内に回収されたトナーがこぼれ出してしまうという問題があった。
【特許文献１】特開平９−３１１５２２号公報
【発明の開示】
【発明が解決しようとする課題】
【０００５】
本発明は上記事実を考慮してなされたものであり、中間転写ベルト等の像担持体に対して接離可能とされたクリーニング部材、回収ボックスが像担持体から離れる方向へ移動して、クリーニング部材と像担持体との隙間から回収ボックス内に回収されたトナーがこぼれ出すことを防止することを目的とする。
【課題を解決するための手段】
【０００６】
請求項１に記載の画像形成装置は、トナー像を担持し該トナー像が転写媒体に転写される像担持体と、前記像担持体に当接して前記像担持体上の未転写残留トナーを除去するクリーニング部材と、前記像担持体に当接して前記像担持体上の未転写残留トナーを除去するクリーニング部材と、前記クリーニング部材を支持し、前記クリーニング部材によって前記像担持体上から除去された未転写残留トナーを回収する回収ボックスと、前記回収ボックスを前記像担持体に対して接離させて前記クリーニング部材を前記像担持体に当接又は離間させる接離手段と、非画像形成時に前記回収ボックスを前記像担持体から離れる方向へ移動不能とする停止手段と、を有することを特徴とする。
【０００７】
請求項１に記載の画像形成装置では、感光体や中間転写ベルト等の像担持体に担持されたトナー像が用紙等の転写媒体に転写される。そして、転写媒体に転写されずに像担持体上に残留した未転写残留トナーが、回収ボックスに支持されて像担持体に当接するクリーニング部材によって像担持体から除去されて回収ボックスに回収される。
【０００８】
ここで、回収ボックスが接離手段によって像担持体に対して接離されることで、クリーニング部材が像担持体に当接又は離間される。このため、クリーニング部材と像担持体との間に隙間が空くことがあるが、非画像形成時には、回収ボックスは、停止手段によって像担持体から離れる方向へ移動不能とされる。
【０００９】
これによって、画像形成装置を輸送する際等に、クリーニング部材が像担持体から離れることがないので、回収ボックス内のトナーがこぼれ出すことを防止できる。
【００１０】
請求項２に記載の画像形成装置は、トナー像を担持し該トナー像が転写媒体に転写される像担持体と、前記像担持体に当接して前記像担持体上の未転写残留トナーを除去するクリーニング部材と、前記像担持体に当接して前記像担持体上の未転写残留トナーを除去するクリーニング部材と、前記クリーニング部材を支持し、前記クリーニング部材によって前記像担持体上から除去された未転写残留トナーを回収する回収ボックスと、前記回収ボックスを前記像担持体に対して接離させて前記クリーニング部材を前記像担持体に当接又は離間させると共に、非画像形成時に前記回収ボックスを前記像担持体から離れる方向へ移動不能とする接離・停止手段と、を有することを特徴とする。
【００１１】
請求項２に記載の画像形成装置では、回収ボックスが接離・停止手段によって像担持体に対して接離されることで、クリーニング部材が像担持体に当接又は離間される。このため、クリーニング部材と像担持体との間に隙間が空くことがあるが、非画像形成時には、回収ボックスは、接離・停止手段によって像担持体から離れる方向へ移動不能とされる。
【００１２】
これによって、画像形成装置を輸送する際等に、クリーニング部材が像担持体から離れることがないので、回収ボックス内のトナーがこぼれ出すことを防止できる。また、クリーニング部材を像担持体に当接又は離間させる動作と、回収ボックスを像担持体から離れる方向へ揺動不能とすることを、接離・停止手段で行えるので、装置の構造を簡素化できコンパクトに構成できる。
【００１３】
請求項３に記載の画像形成装置は、請求項２に記載の画像形成装置であって、前記像担持体と共に着脱される支持フレームを有し、前記接離・停止手段の少なくとも一部、及び前記回収ボックスが、前記支持フレームに設けられたことを特徴とする。
【００１４】
請求項３に記載の画像形成装置では、支持フレームを画像形成装置本体から取り出した場合であっても、接離・停止手段の少なくとも一部によって回収ボックスが像担持体から離れる方向へ揺動不能とされる。これによって、支持フレームを画像形成装置本体から取り出した際や、取り出した支持フレームを落下させてしまった場合等、支持フレームに衝撃が加わった際等に、クリーニング部材が像担持体から離れることがないので、回収ボックス内のトナーがこぼれ出すことを防止できる。
【００１５】
請求項４に記載の画像形成装置は、請求項２に記載の画像形成装置であって、前記接離・停止手段が、前記回収ボックスを揺動可能に支持する揺動支持手段と、前記回収ボックスを前記像担持体側に付勢し、前記クリーニング部材を前記像担持体に圧接するボックス付勢手段と、一方向に回動して前記回収ボックスを前記ボックス付勢手段の付勢力に抗して揺動させると共に、所定の回動位置で前記回収ボックスを前記像担持体から離れる方向へ揺動不能とする回動部材と、前記回動部材を他方向に付勢する回動部材付勢手段と、前記回動部材付勢手段の付勢力で他方向へ回動する前記回動部材を前記所定の回動位置で停止させる回動停止部材と、画像形成装置本体に回転可能に支持され、前記回動部材を、前記回動部材付勢手段の付勢力に抗して前記所定の回動位置から一方向に回動させるカムと、を有することを特徴とする。
【００１６】
請求項４に記載の画像形成装置では、回収ボックスが、揺動支持手段によって揺動可能に支持され、ボックス付勢手段によって像担持体側に付勢される。これによって、クリーニング部材が像担持体に圧接される。
【００１７】
また、回動部材が、回動可能に支持され、カムが画像形成装置に回転可能に支持されており、回動部材がカムによって一方向に回動されることによって、回収ボックスが、像担持体から離れる方向へ揺動する。
【００１８】
また、回動部材は、回動部材付勢手段によって他方向に付勢されており、カムは、この回動付勢手段の付勢力に抗して回動部材を一方向に回動させているので、回動部材を画像形成装置本体に支持されたカムから離すと、回動部材は他方向へ回動する。
【００１９】
そして、回動部材は、回動停止部材によって所定の回動位置で他方向への回動を停止され、この所定の回動位置で、回収ボックスを像担持体から離れる方向へ揺動不能とする。
【００２０】
即ち、回収ボックスが像担持体から離れる方向へ揺動不能となり、クリーニング部材が像担持体に圧接した状態で維持されるので、回収ボックス内のトナーがこぼれ出すことを防止できる。
【００２１】
また、回動部材が、回収ボックスを揺動させる機能と回収ボックスの像担持体から離れる方向への揺動を止める機能を併せて持つように構成したことにより、部品点数を削減でき、コストを低減できる。
【００２２】
請求項５に記載の画像形成装置は、請求項４に記載の画像形成装置であって、前記回動停止部材が前記回収ボックスに設けられ、前記回動停止部材が前記回動部材に当接することで、前記回収ボックスが前記像担持体から離れる方向へ揺動不能となることを特徴とする。
【００２３】
請求項５に記載の画像形成装置では、回動停止部材が回収ボックスに設けられており、回動部材が、この回動停止部材に当接して所定の回動位置で止まっているが、反対に回動停止部材が回動部材に当接することで、回収ボックスが像担持体から離れる方向へ揺動不能となっている。
【００２４】
請求項６に記載の画像形成装置は、請求項５に記載の画像形成装置であって、前記像担持体と共に前記画像形成装置本体に着脱される支持フレームを有し、前記カムは、前記支持フレームが前記画像形成装置本体に装着されるている間は、常時前記回動部材に当接して前記回動部材を前記所定の回動位置から一方向に回動させることを特徴とする。
【００２５】
請求項６に記載の画像形成装置では、支持フレームを画像形成装置本体に装着されている間は、カムが常時回動部材に当接しており、回動部材は、カムの回動位置に関わらず、所定の回動位置から一方向に回動された状態となる。これによって、回収ボックスを揺動させるために必要な回動部材の回動量を少なくすることができるので、カムを小さくできると共に、クリーニング部材を像担持体から離間させるまでに要する時間を短縮できる。
【００２６】
請求項７に記載の画像形成装置は、請求項６に記載の画像形成装置であって、前記回動部材を、前記支持フレームの内側に配設したことを特徴とする。
【００２７】
請求項７に記載の画像形成装置では、回動部材が、支持フレームの内側に配設されており、ユーザーが回動部材を扱って回収ボックスを揺動させてしまうことが防止されている。
【００２８】
請求項８に記載の画像形成装置は、請求項４乃至７の何れか１項に記載の画像形成装置であって、前記揺動支持手段を、前記回収ボックスの重心が前記揺動支持手段よりも前記回動部材側に位置するように配置したことを特徴とする。
【００２９】
請求項８に記載の画像形成装置では、回収ボックスの重心が揺動支持手段よりも回動部材側に位置するように配置されており、回収ボックスの自重が像担持体から離れる方向へ作用している。このため、回収ボックスを像担持体から離れる方向へ揺動させるために必要とされる回動部材のトルクが小さくなり、カムのトルクを小さくすることができるので、カムを回転させるモータ等のコストを低減できる。
【００３０】
請求項９に記載の画像形成装置は、請求項７に記載の画像形成装置であって、前記揺動支持手段と前記回動部材を前記支持フレームの一部を構成する一つの部材に配置したことを特徴とする。
【００３１】
請求項９に記載の画像形成装置では、揺動支持手段と回動部材が、支持フレームの一部を構成する一つの部材に配置されている。このため、回収ボックスの揺動中心と回動部材との位置決めが容易であり、これらの位置決め精度を向上できる。
【発明の効果】
【００３２】
本発明は上記構成にしたので、中間転写ベルト等の像担持体に対して接離可能とされたクリーニング部材、回収ボックスが像担持体から離れる方向へ移動して、クリーニング部材と像担持体との隙間から回収ボックス内に回収されたトナーがこぼれ出すことを防止できる。
【発明を実施するための最良の形態】
【００３３】
次に本発明の実施形態を図面に基づいて説明する。
【００３４】
図１には、本発明の実施形態の画像形成装置１０の概要が示されている。画像形成装置１０は、画像形成装置本体１２を有し、この画像形成装置本体１２の上部に回動支点１４を中心に回動自在の開閉カバー１６が設けられていると共に、この画像形成装置本体１２の下部に例えば１段の給紙ユニット１８が配置されている。
【００３５】
給紙ユニット１８は、給紙ユニット本体２０と、用紙Ｐが収納される給紙カセット２２とを有する。給紙カセット２２の奥端近傍上部には、給紙カセット２２から用紙Ｐを供給するフィードロール２４、及び、供給される用紙Ｐを１枚ずつ捌くリタードロール２６が配置されている。
【００３６】
搬送路２８は、フィードロール２４から排出口３０までの用紙通路であり、この搬送路２８は、画像形成装置本体１２の裏側（図１の右側）近傍にあって、給紙ユニット１８から後述する定着装置９０まで略垂直に形成されている。この搬送路２８の定着装置９０の上流側に後述する二次転写ロール８０と二次転写バックアップロール７２とが配置され、二次転写ロール８０と二次転写バックアップロール７２の上流側にレジストロール３２が配置されている。また、搬送路２８の排出口３０の近傍には排出ロール３４が配置されている。
【００３７】
即ち、給紙ユニット１８の給紙カセット２２からフィードロール２４により送り出された用紙Ｐは、リタードロール２６により捌かれて最上部の用紙Ｐのみ搬送路２８に導かれ、レジストロール３２によりー時停止され、タイミングをとって後述する二次転写ロール８０と二次転写バックアップロール７２との間を通ってトナー像を転写される。そして、用紙Ｐは、この転写されたトナー像を定着装置９０により定着され、排出ロール３４により排出口３０から開閉カバー１６の上部に設けられた排出部３６へ排出される。この排出部３６は、排出口部分が低く、正面方向（図１の左方向）に向けて徐々に高くなるよう傾斜している。
【００３８】
画像形成装置本体１２には、例えば略中央部にロータリ現像装置３８が配置されている。ロータリ現像装置３８は、現像器本体４０内にイエロー（Ｙｅｌｌｏｗ）、マゼンタ（Ｍａｇｅｎｔａ）、シアン（Ｃｙａｎ）及び黒（Ｂｌａｃｋ）の４色のトナー像をそれぞれ形成する現像器４２ａ〜４２ｄを有し、ロータリ現像装置中心４４を中心として左回り（図１において反時計回り）に回転する。現像器４２ａ〜４２ｄそれぞれは、現像ロール４６ａ〜４６ｄを有し、例えばコイルスプリングなどの弾性体４８ａ〜４８ｄにより、現像器本体４０の法線方向に押圧されている。
【００３９】
ロータリ現像装置３８には、例えば回転支軸４９を軸として回転し、感光体５０が当接するように配置されており、現像ロール４６ａ〜４６ｄは、感光体５０に当接していない状態で、それぞれの外周の一部が現像器本体４０の外周から半径方向に、例えば２ｍｍ突出している。また、現像ロール４６ａ〜４６ｄそれぞれの両端には、現像ロール４６ａ〜４６ｄの直径よりもわずかに大きい直径のトラッキングロール（図示せず）が現像ロール４６ａ〜４６ｄと同軸で回転するように設けられている。つまり、現像器４２ａ〜４２ｄの現像ロー４６ａ〜４６ｄは、ロータリ現像装置中心４４を中心として、それぞれ９０°の間隔で現像器本体４０の外周に配置され、現像ロール４６ａ〜４６ｄのトラッキングロールが感光体５０の両端に設けられたフランジ（図示せず）に当接し、現像ロール４６ａ〜４６ｄと感光体５０との間に所定の隙間を形成しつつ、感光体５０上の潜像をそれぞれの色のトナーで現像する。
【００４０】
感光体５０の下方には、該感光体５０を一様に帯電する例えば帯電ロールからなる帯電装置５２が設けられている。また、感光体５０には、回転支軸４９にぶら下がるように像担持体用クリーナ５４が保持されており、感光体５０と像担持体用クリーナ５４とは一体化されている。像担持体クリーナ５４は、例えば一次転写後に感光体５０に残留する廃トナーを掻き取るクリーニングブレード５６と、クリーニングブレード５６が掻き取った廃トナーを回収するトナー回収ボトル５８とから構成される。
【００４１】
なお、トナー回収ボトル５８の背面側（図１において右側）は、例えばリブなどが形成され、用紙Ｐが滑らかに搬送されるように曲面にされて搬送路２８の一部を形成している。
【００４２】
ロータリ現像装置３８の下方背面側には、帯電装置５２により帯電された感光体５０に、レーザ光などの光線により潜像を書き込む露光装置６０が配置されている。また、ロータリ現像装置３８の上方には、ロータリ現像装置３８によって可視化されたトナー像を一次転写位置で一次転写され、後述する二次転写位置まで搬送する中間転写装置６２が設けられている。
【００４３】
中間転写装置６２は、例えば中間転写ベルトなどの中間転写体６４、一次転写ロール６６、ラップインロール６８、ラップアウトロール７０、二次転写バックアップロール７２、スクレーパバックアップロール７４及びブラシバックアップロール７６を有する。
【００４４】
中間転写体６４は、例えば弾性を有し、ロータリ現像装置３８の上方で長辺と短辺とを有するように略扁平に張られている。中間転写体６４の上面側の長辺は、例えば画像形成装置本体１２の上部に設けられた排出部３６に対して略平行となるように張られている。      
【００４５】
また、中間転写体６４は、該中間転写体６４の長辺下方で一次転写ロール６６の上流に配置されたラップインロール６８と、一次転写ロール６６の下流に配置されたラップアウトロール７０との間で感光体５０にラップ状に接触する一次転写部（像担持体ラップ領域）を有し、感光体５０に所定の範囲だけ巻きついて、感光体５０の回転に従動する。
【００４６】
このように、中間転写体６４は、一次転写ロール６６によって感光体５０上のトナー像を例えばイエロー、マゼンタ、シアン、黒の順に重ねて一次転写され、この一次転写されたトナー像を後述する二次転写ロール８０に向けて搬送する。なお、ラップインロール６８及びラップアウトロール７０は、感光体５０から離間している。
【００４７】
このように、中間転写体６４は、ラップインロール６８、ラップアウトロール７０、二次転写バックアップロール７２、スクレーパバックアップロール７４及びブラシバックアップロール７６の５つのロールにより張架されており、一次転写ロール６６によって感光体５０上のトナー像を転写される。
【００４８】
さらに、中間転写体６４の裏側（図１の右側面）には、ラップアウトロール７０及び二次転写バックアップロール７２により、平面部（短辺）が形成されており、この平面部が二次転写部となって搬送部２８に臨むようにされている。
【００４９】
なお、二次転写部において、中間転写体６４と搬送路２８との間が、例えば１２°の角度になるように、ラップアウトロール７０は配置されている。
【００５０】
スクレーパバックアップロール７４は、二次転写後に中間転写体６４に残留する廃トナーを後述するスクレーパ８４が掻き取ることを補助し、ブラシバックアップロール７６は、二次転写後に中間転写体６４に残留する廃トナーを後述するブラシロール８６が掻き取ることを補助する。
【００５１】
中間転写装置６２の二次転写バックアップロール７２には、搬送路２８を挟んで二次転写ロール８０が対峙している。つまり、二次転写ロール８０と二次転写バックアップロール７２との間が二次転写部における二次転写位置となっており、二次転写ロール８０は、二次転写バックアップロール７２の補助により、中間転写体６４に一次転写されたトナー像を二次転写位置で用紙に二次転写する。
【００５２】
ここで、二次転写ロール８０は、中間転写体６４が３回転する間、すなわちイエロー、マゼンタ、シアンの３色のトナー像を搬送する間は中間転写体６４から離間しており、黒のトナー像が転写されると中間転写体６４に当接するようにされている。
【００５３】
なお、二次転写ロール８０と二次転写バックアップロール７２との間には、所定の電位差が生じるようにされており、例えば二次転写口―ル８０を高電圧にした場合には、二次転写バックアップロール７２はグランド（ＧＮＤ）などに接続される。
【００５４】
中間転写体６４の反像担持体側端には、中間転写体用クリーナ８２が設けられている。中間転写体用クリーナ８２は、スクレーパ８４、ブラシロール８６、トナー回収ボックス８８及び揺動支軸８９を有し、揺動支軸８９を軸として揺動する。スクレーパ８４は、例えば二次転写後に中間転写体６４に残留する廃トナーを掻き取ってクリーニングする。プランロール８６は、スクレーパ８４によるクリーニング後に残った廃トナーをさらに掻き取る。トナー回収ボックス８８は、スクレーパ８４及びブラシロール８６によって掻き取られたトナーを回収する。スクレーパ８４は、例えばステンレスの薄板からなり、トナーとは逆極性の電圧がかけられている。
【００５５】
ブラシロール８６は、例えば導電性の処理がなされたアクリルなどのブラシからなる。そして、中間転写体６４がトナー像を搬送する間には、スクレーパ８４及びブラシロール８６が中間転写体６４から離間しており、所定のタイミングでこれらが一体となって中間転写体６４に当接するようにされている。
【００５６】
なお、中間転写装置６２、感光体５０、帯電装置５２、像担持体クリーナ５４及び中間転写体クリーナ８２は、一体化され、後述する像形成ユニット９６の一部を構成する。
【００５７】
二次転写位置の上方には、定着装置９０が配置されている。定着装置９０は、加熱ロール９２と加圧ロール９４とを有し、二次転写ロール８０及び二次転写バックアップロール７２により用紙に二次転写されたトナー像を用紙に定着させ、排出ロール３４に向けて搬送する。
【００５８】
図２乃至図７において、像形成ユニット９６の詳細が示されている。
【００５９】
像形成ユニット９６は、左右（図４において左右）に設けられた一対のサイドフレーム１００ａ、１００ｂ、上下（図３において上下）に設けられた一対の保護カバー１０２ａ、１０２ｂとで構成される支持フレーム９９、中間転写装置６２、感光体５０、帯電装置５２、像担持体用クリーナ５４及び中間転写体用クリーナ８２を一体化したものである。また、サイドフレーム１００ａ、１００ｂ、保護カバー１０２ａ、１０２ｂ、中間転写装置６２及び中間転写体用クリーナ８２は、一体化されて中間転写組立体９７を構成する。また、感光体５０、帯電装置５２及び像担持体クリーナ５４は、一体化されて感光体ユニット９８を構成する。つまり、図３にも示すように、後述するベアリング１１１及びベアリング１３２を介し、感光体ユニット９８が中間転写組立体９７に組み付けられることにより、像形成ユニット９６が形成されている。また、感光体ユニット９８は中間転写組立体９７に対して着脱自在にされており、中間転写体組立体９７は、感光体ユニット９８が装着されることにより、中間転写体６４に所定の張力が与えられ、感光体５０との間に一次転写部が形成される。
【００６０】
中間転写体６４は、二次転写バックアップロール７２、ラップインロール６８、ラップアウトロール７０、スクレーパバックアップロール７４及びブラシバックアップロール７６の５つのロールにより回転するように支持され、一次転写ロール６６により感光体５０に担持されたトナー像を転写される。一次転写ロール６６、ラップインロール６８、ラップアウトロール７０、スクレーパバックアップロール７４及びブラシバックアップロール７６それぞれは、両端にベアリング１０４（図５参照）が設けられており、ベアリング１０４を介してサイドフレーム１００ａ、１００ｂに支持される。二次転写バックアップロール７２は、軸部１０６と、この軸部１０６を軸として回転する回転部１０８とを有し、軸部１０６の両端が例えばネジなどの固定部材１１０、１１０によりサイドフレーム１００ａ、１００ｂにそれぞれ固定されている。
【００６１】
サイドフレーム１００ａは、感光体５０の回転支軸４９を貫通させると共に、ベアリング１１１を介して回転支軸４９の一端を支持する孔部１１２と、中間転写体用クリーナ８２の揺動支軸８９を貫通させる孔部１１４とを有し、回転支軸４９及び揺動支軸８９が側方に突出するようにされている。サイドフレーム１００ａの感光体５０側上部には、保護カバー１０２ａの後述する突起１４０が係合する凹部１１６（図７参照）が設けられ、中間転写体用クリーナ８２側上部には、保護カバー１０２ａの後述する固定部１４２が固定部材１１０により固定される孔部１２０が設けられている。サイドフレーム１００ａの中間転写体用クリーナ８２側下部には、保護カバー１０２ｂの後述する突起１４４が係合する凹部１２２が設けられ、感光体５０側下部には、保護カバー１０２ｂの後述する固定部１４６が固定部材１１０により固定される孔部１２６が設けられている。
【００６２】
また、サイドフレーム１００ａには、二次転写バックアップロール７２の軸部１０６の一端を固定部材１１０により固定する固定部１２８が設けられている。また、サイドフレーム１００ａの内側には、ラップインロール６８、ラップアウトロール７０、スクレーパバックアップロール７４及びブラシバックアップロール７６の一端を、ベアリング１０４を介して側方から支持する受け部１３０（図５のサイドフレーム１００ｂ参照）がそれぞれ設けられている。なお、一次転写ロール６６の一端は、ベアリング１０４及び図示しない保持具を介してサイドフレーム１００ａに支持されている。
【００６３】
サイドフレーム１００ｂは、感光体５０の回転支軸４９を通過させると共に、ベアリング１３２を介して回転支軸４９の一端を支持する切欠き１３４と、中間転写体用クリーナ８２の揺動支軸８９を貫通させる孔部１１４とを有し、回転支軸４９及び揺動支軸８９が側方に突出するようにされている。なお、切欠き１３４は、ベアリング１３２が取り付けられる部分に対し、回転支軸４９を通過させる部分が狭くなっている。ベアリング１３２は、図示しないネジなどの固定部材によってサイドフレーム１００ｂに固定されるようになっている。サイドフレーム１００ｂの感光体５０側上部には、保護カバー１０２ａの後述する突起１４０が係合する凹部１１６（図７参照）が設けられ、中間転写体用クリーナ８２側上部には、保護カバー１０２ａの後述する国定部１４２が固定部材１１０により固定される孔部１２０が設けられている。サイドフレーム１００ｂの中間転写体用クリーナ８２側下部には、保護カバー１０２ｂの後述する突起１４４が係合する凹部１２２が設けられ、感光体５０側下部には、保護カバー１０２ｂの後述する固定部１４６が固定部材１１０により固定される孔部１２６が設けられている。
【００６４】
また、サイドフレーム１００ｂには、二次転写バックアップロール７２の軸部１０６の一端を固定部材１１０により固定する固定部１２８が設けられている。また、サイドフレーム１００ｂの内側には、ラップインロール６８、ラップアウトロール７０、スクレーパバックアップロール７４及びブラシバックアップロール７６の一端を、ベアリング１０４を介して側方から支持する受け部１３０（図５参照）がそれぞれ設けられている。なお、一次転写ロール６６の一端は、ベアリング１０４及び図示しない保持具を介してサイドフレーム１００ｂに支持されている。
【００６５】
また、サイドフレーム１００ａ、ｂには、トナー回収ボックス８８の側面上部に面して支持片６９が立設されており、この支持片６９から中間転写体６４側に向けてボス７７が突出している。また、トナー回収ボックス８８の長手方向両端部からボス７７に向けてボス７３が突出している。そして、圧縮コイルバネ７１がボス７３、７７に嵌め込まれる。これによって、トナー回収ボックス８８が中間転写体６４側に付勢され、スクレーパ８４、ブラシロール８６が中間転写体６４に圧接される（図１０、図１２乃至図１４参照）。
【００６６】
また、サイドフレーム１００ａ、ｂには、トナー回収ボックス８８の側面下部に面してボス８１が立設されており、このボス８１に捻りコイルバネ８３が挿入され、その上からレバー８５が回動可能に取付けられる。また、トナー回収ボックス８８の側面には、レバー８５が当接する回動停止用リブ８７、接離用リブ９１が形成されている。なお、圧縮コイルバネ７１やレバー８５や捻りコイルバネ８３等で構成される接離・停止手段７９（図１２乃至図１４参照）の詳細については後述する。
【００６７】
保護カバー１０２ａは、カバー本体１３５ａ、把持部１３６、凸部１３８、突起１４０、１４０及び固定部１４２、１４２を有する。カバー本体１３５ａは、例えばＡＢＳ樹脂などからなり、弾性を有して中間転写体６４及び中間転写体用クリーナ８２の上方を覆う。把持部１３６は、例えば可撓性を有する部材からなり、作業者が像形成ユニット９６を把持することができるようにカバー本体１３５ａの上面に設けられている。凸部１３８は、例えばカバー本体１３５ａと一体に形成され、定着装置９０（図１参照）に臨むように突出し、カバー本体１３５ａの上面に載った異物が画像形成装置本体１２内に混入することを防止する。突起１４０、１４０は、サイドフレーム１００ａ、１００ｂの凹部１１６、１１６にそれぞれ係合し、固定部１４２、１４２は、固定部材１１０、１１０により、サイドフレーム１００ａ、１００ｂの孔部１２０、１２０にそれぞれ固定される。
【００６８】
保護カバー１０２ｂは、カバー本体１３５ｂ、突起１４４、１４４及び固定部１４６、１４６を有する。カバー本体１３５ｂは、例えばＡＢＳ樹脂などからなり、弾性を有して中間転写体６４及び中間転写体用クリーナ８２の下方を覆うように湾曲している。突起１４４、１４４は、サイドフレーム１００ａ、１００ｂの凹部１２２、１２２にそれぞれ係合し、固定部１４６、１４６は、固定部材１１０、１１０によりサイドフレーム１００ａ、１００ｂの孔部１２６、１２６にそれぞれ固定される。
【００６９】
即ち、サイドフレーム１００ａ、１００ｂは、感光体５０及び中間転写体６４の回転方向に対して略平行に配置され、中間転写体６４の上部及び下部をそれぞれ覆う保護カバー１０２ａ、１０２ｂ並びに二次転写バックアップロール７２の軸部１０６を介し、互いに３ヶ所で連結されて、像形成ユニット９６を構成する各部の相対位置を決めると共に、感光体５０、中間転写装置６２及び中間転写体用クリーナ８２の側方を覆う。また、像形成ユニット９６は、二次転写バックアップロール７２の軸部１０６両端がサイドフレーム１００ａ、１００ｂに固定されているので、中間転写体６４の二次転写位置近傍が安定した状態で露出している。
【００７０】
一方、保護カバー１０２ａ、１０２ｂは、上述したように弾性を有し、互い違いに一端がサイドフレーム１００ａ、１００ｂに固定されている。また、一次転写ロール６６、ラップインロール６８、ラップアウトロール７０、スクレーパバックアップロール７４及びブラシバックアップロール７６は、それぞれベアリング１０４を介してサイドフレーム１００ａ、１００ｂに支持されており、サイドフレーム１００ａ、１００ｂに対して遊びを有する。このように、一次転写ロール６６、ラップインロール６８、ラップアウトロール７０、スクレーパバックアップロール７４及びブラシバックアップロール７６は、それぞれの一端を中心に、サイドフレーム１００ａ、１００ｂに対して旋回する遊びを有し、この遊びの範囲を保護カバー１０２ａ、１０２ｂによって制限されている。
【００７１】
つまり、像形成ユニット９６は、中間転写体６４の二次転写位置近傍を安定した状態で露出させつつ、捩れが生じる自由度を有する。
【００７２】
次に上記実施形態の作用について説明する。
【００７３】
画像形成信号が送られると、感光体５０が帯電装置５２により一様に帯電され、この帯電された感光体５０には、画像信号に基づいて露光装置６０から光線が出射される。露光装置６０からの光線は、感光体５０の表面を露光し、潜像を形成する。露光装置６０により形成された感光体５０の潜像は、ロータリ現像装置３８によってイエロー、マゼンタ、シアン、黒のトナー像を現像され、中間転写体６４に重ねて一次転写される。一次転写において、感光体５０に残留する廃トナーは、像担持体用クリーナ５４によって掻き取られ、回収される。
【００７４】
一方、給紙信号等により、給紙カセット２２に収納された用紙Ｐは、フィードロール２４により送り出され、リタードロール２６により捌かれて搬送路２８に導かれ、レジストロール３２により一次停止され、タイミングをとって二次転写ロール８０と二次転写バックアップロール７２との間に導かれる。用紙Ｐが二次転写ロール８０と二次転写バックアップロール７２との間に導かれると、中間転写体６４に一次転写されているトナー像が二次転写ロール８０と二次転写バックアップロール７２とによって用紙Ｐに二次転写される。二次転写後に、中間転写体６４に残留する廃トナーは、中間転写体用クリーナ８２によって掻き取られ、回収される。なお、この中間転写体用クリーナ８２は、イエロー、マゼンタ、シアンのトナー像が感光体５０から中間転写体６４に一次転写される間は、接離・移動停止手段７９によって中間転写体６４から離間され、４色目の黒の一次転写が始まってから中間転写体６４に当接されるようになっている。
【００７５】
トナー像を転写された用紙Ｐは、定着装置９０に導かれ、加熱ロール９２とによる加圧ロール９４とによる熱圧力によって、トナー像を定着される。トナー像が定着した用紙Ｐは、排出ロール３４により排出口３０から排出部３６へ排出される。
【００７６】
次に、上記実施形態の像形成ユニット９６の着脱方法について説明する。
【００７７】
図８において、像形成ユニット９６を画像形成装置本体１２から取外した状態が示されている。像形成ユニット９６を画像形成装置本体１２から取外す場合、画像形成装置１０は、画像形成装置本体１２の開閉カバー１６が回動支点１４を中心に回動されることにより、画像形成装置本体１２の上部を開放する。像形成ユニット９６は、中間転写装置６２及び感光体５０が定着装置９０とロータリ現像装置３８との間に位置するように配置されており、定着装置９０とロータリ現像装置３８との間の空間を通じて、画像形成装置本体１２から斜め前方（図８において左斜め上方）に取外される。このように、像形成ユニット９６は、搬送路２８を開放することなく取外される。
【００７８】
また、像形成ユニット９６は、画像形成装置本体１２に対して着脱自在となっており、開閉カバー１６を開くことにより、画像形成装置本体１２に装着される。
【００７９】
また、感光体ユニット９８は、像形成ユニット９６が画像形成装置本体１２から取外された状態で、中間転写組立体９７に対して着脱されるようになっている。
【００８０】
図９において、像形成ユニット９６を画像形成装置本体１２に装着する方向が模式的に示されている。像形成ユニット９６は、把持部１３６を把持されることにより、主位置決め手段１４８及び補助位置決め手段１５０に案内され、画像形成装置本体１２に対して所定の方向に着脱される。把持部１３６は、例えば上方から保持された場合に、像形成ユニット９６が画像形成装置本体１２への挿入姿勢（図９に示す姿勢）になるようにされている。つまり、把持部１３６を把持することにより、像形成ユニット９６を上方に持上げると、像形成ユニット９６は、像担持体用クリーナ５４が下方に位置するように傾斜して保持されるようになっている。
【００８１】
主位置決め手段１４８は、例えば画像形成装置本体１２側に設けられた案内溝１５２、及び、像形成ユニット９６の側方に突出した感光体５０の回転支軸４９から構成される。回転支軸４９は、案内溝１５２に係合する円柱状に形成され、案内溝１５２に沿って移動するようにされている。補助位置決め手段１５０は、例えば画像形成装置本体１２側に設けられた補助溝１５４、及び、像形成ユニット９６の側方に突出した中間転写体用クリーナ８２の揺動支軸８９から構成される。揺動支軸８９は、例えば補助溝１５４に係合する円柱状に形成され、補助溝１５４に沿って移動するようにされている。
【００８２】
案内溝１５２は、下部に接離案内溝１５６が水平線に対する角度Ａで形成され、上部に移動案内溝１５８が水平線に対する角度Ｂで形成されている。また、補助溝１５４は、下部に接離補助案内溝１６０が水平線に対する角度Ａで形成され、上部に移動補助案内溝１６２が水平線に対する角度Ｂで形成されている。角度Ａは例えば７０°であり、角度Ｂは例えば５５°である。よって、回転支軸４９及び揺動支軸８９をそれぞれ接離案内溝１５６及び接離補助案内満１６０に沿って移動させると、像形成ユニット９６は、ロータリ現像装置３８の略接線方向より接離する方向に移動する。
【００８３】
また、回転支軸４９及び揺動支軸８９をそれぞれ移動案内溝１５８及び移動補助案内溝１６２に沿って移動させると、像形成ユニット９６は、ロータリ現像装置３８の現像位置を通る略接線方向に移動する。
【００８４】
像形成ユニット９６は、上述したようにサイドフレーム１００ａ、１００ｂにより像形成ユニット９６を構成する各部の相対位置が決められており、捩れが生じる自由度を有する。よって、回転支軸４９及び揺動支軸８９が、それぞれ案内溝１５２及び補助溝１５４に沿って移動することにより、像形成ユニット９６を構成する各部は、画像形成装置本体１２に対し、所定の位置に位置決めされる。つまり、像形成ユニット９６単体での中間転写体６４及び感光体５０などの位置決め調整を行わなくても、像形成ユニット９６を画像形成装置本体１２に装着することにより、二次転写ロール８０に対する二次転写バックアップロール７２及びロータリ現像装置３８に対する感光体５０の位置などの位置決めをすることができると共に、中間転写体６４の蛇行などを防止することができる。
【００８５】
また、上述したように、中間転写体用クリーナ８２は、揺動支軸８９を軸として揺動し、感光体５０は、回転支軸４９を軸として回転して中間転写体６４を従動させる。つまり、画像形成装置本体１２側から駆動される軸が画像形成装置本体１２に対して直接位置決めされているので、像形成ユニット９６を駆動する駆動力によって像形成ユニット９６が変形することを防止することができる。
【００８６】
また、像形成ユニット９６は、サイドフレーム１００ａ、１００ｂの一部、中間転写体６４を支持する複数のロールの一部など、像形成ユニット９６を構成する各部の一部がどのような組み合わせで案内溝１５２及び補助溝１５４に案内されてもよい。
【００８７】
次に、中間転写体用クリーナ５４を中間転写体６４に対して接離させる接離・移動停止手段７９について説明する。なお、中間転写体用クリーナ５４の長手方向の両端部に設けられた接離・移動停止手段７９の構成は、左右対称となっており、片側を例に取って説明する。
【００８８】
図１１（Ａ）、（Ｂ）に示すように、ボス８１の円周面の根元には約９０度の間隔で４本のリブ８１ａが形成されている。このリブ８１ａとレバー８５との間に捻りコイルバネ８３をセットする。ここで、捻りコイルバネ８３のリブ８１ａ側の端部８３ａはリブ８１ａ側に折り曲げられ、レバー８５側の端部８３ｂはレバー８５側に折り曲げられている。
【００８９】
また、レバー８５は、細長い板材で、中央部にボス８１が挿入される円孔８５ａが穿設されている。また、レバー８５の両面には、円孔８５ａから長手方向一端側へ延出する扇形状の回動停止用リブ８５ｂ、円孔８５ａから長手方向他端側へ延出する矩形状のリブ８５ｃが形成されている。また、レバー８５のリブ８５ｃの内側には、長孔８５ｄが穿設されている。この長孔８５ｄに、捻りコイルバネ８３のレバー８５側の端部８３ｂが挿入される。また、捻りコイルバネ８３のリブ８１ａ側の端部８３ａが、ボス８１の上側に設けられた２つのリブ８１ａの間にセットされる。これにより、レバー８５を図中矢印Ａ方向（請求項３の一方向に相当）に回転させると、捻りコイルバネ８３の端部８３ａが図中右上のリブ８１ａに当接し、捻りコイルバネ８３が弾性収縮する。
【００９０】
また、図１１（Ｂ）、図１２に示すように、トナー回収ボックス８８の側面には、レバー８５の回動を止めるための回動停止用リブ８７が形成されている。この回動停止用リブ８７は、ボス８１の上方に配置されており、捻りコイルバネ８３の付勢力で図中矢印Ｂ方向（請求項３の他方向に相当）に回動されたレバー８５の回動停止用リブ８５ｂの円弧面状の側面に当接し、レバー８５の図中矢印Ｂ方向への回動を停止させる。
【００９１】
ここで、レバー８５の回動停止用リブ８５ｂが当接する回動停止用リブ８７の当接面８７ａは、当接面８７ａの斜め下方に位置する揺動支軸８９に向けて傾斜しており、この当接面８７ａの法線方向と回動停止用リブ８５ｂの径方向とが略一致している。また、回動停止用リブ８７が揺動支軸８９回りに旋回する方向とレバー８５との径方向とが略一致している。
【００９２】
即ち、トナー回収ボックス８８に揺動支軸８９回りの図中矢印Ｃ方向への回転力（中間転写体６４から離れる方向への回転力）を作用させても、レバー８５の回動停止用リブ８５ｂには径方向の力しか作用せず、レバー８５は回動しない。このため、レバー８５が、トナー回収ボックス８８の図中矢印Ｃ方向への揺動を止めるストッパとして機能するので、像形成ユニット９６を画像形成装置本体１２から取り出した際に、スクレーパ８４、ブラシロール８６が中間転写体６４から離間することがなく、トナー回収ボックス８８内のトナーがこぼれ出すことがない。
【００９３】
また、図１３に示すように、画像形成装置本体１２には、レバー８５に当接する偏心カム９３が回転可能に支持されている。像形成ユニット９６が画像形成装置本体１２に装着されると、偏心カム９３の回転位置に関わらず、偏心カム９３とレバー８５の長手方向他端側とが当接し、レバー８５は、捻りコイルバネ８３の付勢力に抗して図中矢印Ａ方向に回動する。これによって、レバー８５の回動停止用リブ８５ｂと回動停止用リブ８７が非接触となり、トナー回収ボックス８８が図中矢印Ｃ方向へ揺動可能となる。
【００９４】
また、トナー回収ボックス８８の側面には、偏心カム９３によって図中矢印Ａ方向に回動されたレバー８５の長手方向一端側が当接する接離用リブ９１が形成されている。この接離用リブ９１のレバー８５が当接する当接面９１ａは、略水平方向に向いており、図１４に示すように、この当接面９１ａが図中矢印Ａ方向に回動するレバー８５によって押されることで、トナー回収ボックス８８が圧縮コイルバネ７１の付勢力に抗して図中矢印Ｃ方向に揺動する。これによって、スクレーパ８４、ブラシロール８６が中間転写体６４から離間する。
【００９５】
なお、中間転写体用クリーナ８２によるクリーニング動作が終了すると、図１２に示すように、偏心カム９３は、中心から外周面までの距離が最小である最小径部９３ａがレバー８５に当接する位置まで回転して待機するが、この状態で、レバー８５の長手方向一端側が接離用リブ９１から離れ、トナー回収ボックス８８が圧縮コイルバネ７１の付勢力で中間転写体６４側に付勢され、スクレーパ８４、ブラシロール８６が中間転写体６４に圧接される。
【００９６】
即ち、像形成ユニット９６を画像形成装置本体１２に装着すると、偏心カム９３の最小径部９３ａがレバー８５に当接し、レバー８５が接離用リブ９１側に回動するので、プリント時にトナー回収ボックス８８を中間転写体６４から離間させるために必要なレバー８５の残りの回動量を少なくすることができる。これによって、偏心カム９３を小さくできると共に、トナー回収ボックス８８を中間転写体６４から離間させるまでに要する時間を短縮できる。
【００９７】
また、レバー８５は、サイドフレーム１０２ａ、１０２ｂとトナー回収ボックス８８との間、即ち像形成ユニット９６の内部に配置されており、ユーザーがレバー８５を扱うことができないようになっている。即ち、ユーザーが、像形成ユニット９６を保持している際に、レバー８５によるトナー回収ボックス８８のロックを解除してしまうことが防止されている。
【００９８】
また、トナー回収ボックス８８の重心が、揺動支軸８９よりもレバー８５側に位置するように、揺動支軸８９が配置されており、トナー回収ボックス８８の自重が中間転写体６４から離れる方向へ作用している。このため、トナー回収ボックス８８を中間転写体６４ら離れる方向へ揺動させるために必要とされるレバー８５のトルクが小さくなり、偏心カム９３のトルクを小さくすることができるので、偏心カム９３を回転させるモータ等のコストを低減できる。
【００９９】
また、レバー８５が、トナー回収ボックス８８を揺動させる機能とトナー回収ボックス８８をロックする機能を併せて持つように、接離・停止手段７９を構成したことによって、部品点数を低減でき、コストを低減できる。
【０１００】
さらに、トナー回収ボックス８８とサイドフレーム１０２ａ、１０２ｂに挿通された揺動支軸８９は、支持フレーム９９の一部を構成する一つの部材であるサイドフレーム１０２ａ、１０２ｂにレバー８５と並べて配置されている。このため、トナー回収ボックス８８の揺動中心とレバー８５との位置決めが容易であり、これらの位置決め精度を向上できる。
【０１０１】
なお、本実施形態では、中間転写体６４上の未転写残留トナーを除去する中間転写体用クリーナ８２を例に取って本発明を説明したが、これに限らず、本発明は、感光体上の未転写残留トナーを除去する感光体用クリーナにも適用可能である。
【０１０２】
また、本実施形態では、像形成ユニット９６に揺動可能に取付けられた中間転写体用クリーナ８２を例に取って本発明を説明したが、これに限らず、本発明は、画像形成装置本体１２に揺動可能に取付けられたクリーナユニットについても適用可能である。
【０１０３】
さらに、本実施形態では、中間転写体用クリーナ８２を中間転写体６４に接離させる機能と中間転写体用クリーナのロック機能を併せて持つ接離・停止手段７９を例に取って本発明を説明したが、請求項１に記載の発明に関しては、中間転写体用クリーナ８２を中間転写体６４に接離させる機構と中間転写体用クリーナ８２のロック機構とが分離されていても構わない。
【図面の簡単な説明】
【０１０４】
【図１】本発明の実施形態に係る画像形成装置の側面図である。
【図２】本発明の実施形態に係る画像形成装置の像形成ユニットを示す斜視図である。
【図３】図２に示した像形成ユニットを中間転写組立体と像担持体ユニットとに分解した状態を示す斜視図である。
【図４】図２に示した像形成ユニットの分解斜視図である。
【図５】図２に示した像形成ユニットの保護カバーを除いて下方から見た分解斜視図である。
【図６】図２に示した像形成ユニットの下側の保護カバーとサイドフレームとの接続を示す分解斜視図である。
【図７】図２に示した像形成ユニットの上側の保護カバーとサイドフレームの田部との係合を示す拡大図である。
【図８】本発明の実施形態に係る画像形成装置本体から像形成ユニットを取外した状態を示す側面図である。
【図９】本発明の実施形態に係る画像形成装置本体に像形成ユニットを装着する方向を模式的に示す側面図である。
【図１０】図２に示した像形成ユニットの中間転写体用クリーナを示す斜視図である。
【図１１】（Ａ）、（Ｂ）は図１０に示した中間転写体用クリーナのレバー、捻りコイルバネの取付け構造を示す斜視図である。
【図１２】図１０に示した中間転写体用クリーナが中間転写体に当接した位置で揺動を止められた状態を示す（Ａ）は側面図、（Ｂ）は斜視図である。
【図１３】図１０に示した中間転写体用クリーナが中間転写体に当接した位置で揺動可能となった状態を示す（Ａ）は側面図、（Ｂ）は斜視図である。
【図１４】図１０に示した中間転写体用クリーナが中間転写体から離間している状態を示す（Ａ）は側面図、（Ｂ）は斜視図である。
【符号の説明】
【０１０５】
１０    カラーレーザープリンタ（画像形成装置）
１２    画像形成装置本体
６４    中間転写体（像担持体）
７１    圧縮コイルバネ（接離手段、ボックス付勢手段）
７９    接離・移動停止手段
８３    捻りコイルバネ（停止手段、回動部材付勢手段）
８４    スクレーパ（クリーニング部材）
８５    レバー（接離手段、停止手段、回動部材）
８６    ブラシロール（クリーニング部材）
８７    回動停止用リブ（停止手段、回動停止部材）
８８    トナー回収ボックス（回収ボックス）
８９    揺動支軸（揺動支持手段）
９３    偏心カム（接離手段、カム）
９９    支持フレーム
Ｐ    用紙（転写媒体）
【図１】
2005300850.tif 000003
【図２】
2005300850.tif 000004
【図３】
2005300850.tif 000005
【図４】
2005300850.tif 000006
【図５】
2005300850.tif 000007
【図６】
2005300850.tif 000008
【図７】
2005300850.tif 000009
【図８】
2005300850.tif 000010
【図９】
2005300850.tif 000011
【図１０】
2005300850.tif 000012
【図１１】
2005300850.tif 000013
【図１２】
2005300850.tif 000014
【図１３】
2005300850.tif 000015
【図１４】
2005300850.tif 000016